(57)【特許請求の範囲】
【請求項１】
複数のケーブルを支持、及び固定するケーブル支持具を備える振動試験機であって、
振動を発生させる振動発生機と、
前記ケーブル支持具を前記振動発生機に取り付ける側板と、を備え、
前記ケーブルは、前記振動発生機に付帯するケーブル、及び冷却水ホースを含み、
前記振動発生機を回転させることにより、当該振動試験機の垂直使用及び水平使用の切替えが可能であり、
前記ケーブル支持具は、
略平行に配置された複数の長棒と、
前記長棒間に架け渡され所定間隔で配置される複数の短棒と、
前記ケーブルを前記長棒、及び前記短棒上に支持、及び固定するベルトと、
前記ベルトの端部に設けられた当該ベルトの緊緩を調整する留め具と、
を備え、
前記長棒上に、隣接する２つの前記短棒の間に前記ケーブルが配置され、
前記ベルトによって、隣接する前記ケーブルと前記短棒の外周の少なくとも一部が交互に巻かれることにより、前記ケーブルが前記長棒、及び短棒上に支持、及び固定され、
当該振動試験機の水平使用時に、前記長棒において、前記ケーブルの根元側を斜め上に配置する傾斜部と、当該傾斜部に連続して設けられ、前記ケーブルを水平に配置する水平部とが形成され、当該傾斜部において前記ケーブルが固定されることを特徴とする振動試験機。
【発明の詳細な説明】
【０００１】
【発明の属する技術分野】
本発明は、ケーブル、及びホース等を支持、及び固定するために用いるケーブル支持具を備える振動試験機に関する。
【０００２】
【従来の技術】
従来、ケーブル等を複数接続する機械の一つに、例えば、様々な振動条件の下で振動試験を行わせることにより、部品や製品の耐震性や耐久性を評価する装置である振動試験機が挙げられる。
【０００３】
このような振動試験機には、例えば、供試体を載置する垂直振動台、及び水平振動台と、９０度回転することにより垂直振動台、及び水平振動台に夫々連結可能な振動発生機とにより概略構成される、補助振動台付振動試験機がある。
【０００４】
ところで、上記振動発生機においては、内部に備えるコイルに電流を印加してコイルを振動させる動電式の振動発生機が知られているが、この時コイルが発熱するため、発熱したコイルを工業用水により冷却する水冷式の冷却方式を採用しているものがある。
水冷式を採用した動電式振動発生機には、駆動ケーブル、及び励磁ケーブルの他、排水用、及び給水用の冷却水ホースが夫々接続されており、これらのホース、及びケーブルは振動発生機の後方一箇所にまとめられ、振動発生機の外方へ引き出されている。
【０００５】
従って、前述の補助振動台付振動試験機が水冷式である場合、振動発生機を垂直振動台に連結させる垂直使用時においては、ホース、及びケーブルは、例えば、振動発生機の下方に位置し、又、振動発生機を９０度回転させ、水平振動台に連結治具により連結させる水平使用時においては、ホース、及びケーブルは、振動発生機の回転に伴ない、例えば、振動発生機の上方に位置することとなる。
【０００６】
【発明が解決しようとする課題】
しかしながら、従来の振動発生機においては、振動発生機から引き出されたホース、及びケーブルを固定、或いは支持するための対策は何ら講じられておらず、引き出したそのままの状態でホース、及びケーブルを振動発生機とともに回転させ、垂直使用、或いは水平使用の切り替えを行っていた。
このため、振動発生機を回転させた際に、ホース、及びケーブルが移動して配列状態が乱れるので、ケーブルが他のケーブル、或いはホースによって押しつぶされて痛んでしまったり、ホースが折れて水漏れを起こすといったことが考えられ、トラブルの原因になりかねないという問題があった。
【０００７】
本発明は上記事情に鑑みてなされたものであって、ケーブル、及びホース等を適切な力により整列させることが可能なケーブル支持具を備える振動試験機を提供することを目的とする。
【０００８】
【課題を解決するための手段】
上記課題を解決するために、請求項１記載の発明は、例えば、図１〜図６に示すように、複数のケーブル７を支持、及び固定するケーブル支持具８を備える振動試験機１であって、
振動を発生させる振動発生機３と、
前記ケーブル支持具を前記振動発生機に取り付ける側板８１と、を備え、
前記ケーブルは、前記振動発生機に付帯するケーブル（例えば、駆動ケーブル７１、励磁ケーブル７２）、及び冷却水ホース７３を含み、
前記振動試験機１を回転させることにより、当該振動試験機１の垂直使用及び水平使用の切替えが可能であり、
前記ケーブル支持具８は、
略平行に配置された複数の長棒８２と、
前記長棒間に架け渡され所定間隔で配置される複数の短棒８３と、
前記ケーブルを前記長棒、及び前記短棒上に支持、及び固定するベルト８４と、
前記ベルトの端部に設けられた当該ベルトの緊緩を調整する留め具８５と、
を備え、
前記長棒上に、隣接する２つの前記短棒の間に前記ケーブルが配置され、
前記ベルトによって、隣接する前記ケーブルと前記短棒の外周の少なくとも一部が交互に巻かれることにより、前記ケーブルが前記長棒、及び短棒上に支持、及び固定され、
当該振動試験機１の水平使用時に、前記長棒において、前記ケーブルの根元側を斜め上に配置する傾斜部と、当該傾斜部に連続して設けられ、前記ケーブルを水平に配置する水平部とが形成され、当該傾斜部において前記ケーブルが固定されることを特徴としている。
【０００９】
請求項１記載の発明によれば、ケーブルは、隣接する２つの短棒の間に長棒上に配置され、ベルトによって、ケーブルと短棒の外周の少なくとも一部が交互に巻かれて、長棒、及び短棒上に支持、及び固定されるので、ケーブルを整列した状態で維持することができる。
【００１１】
また、ベルトの端部に留め具を備えているので、留め具によりベルトの緊緩を調整したうえで、ケーブルを固定することができる。この時、ベルトの伸びによって、適度な力でケーブルを拘束するので、ケーブルを過拘束せずに固定することが可能となり、ケーブルを過剰な力で締め付け、痛めてしまう恐れがない。
【００１３】
さらに、ケーブル支持具は、振動発生機に側板によって取り付けられ、振動発生機に付帯するケーブル、及び冷却水ホースを支持、及び固定するので、ケーブル、及び冷却水ホースを傷つけることなく、整列させたままの状態で振動試験機を使用することができる。
【００１４】
【発明の実施の形態】
以下、図を用いて本発明の一実施例である振動試験機、及びケーブル支持具について詳細に説明する。
図１は、振動発生機を図示しない垂直振動台に連結させる垂直使用時における振動試験機の側面図であり、図２は、振動発生機を水平振動台に連結させる水平使用時における振動試験機の側面図である。
【００１５】
図１、及び図２に示すように、振動試験機１は、供試体を載置する図示しない垂直振動台、及び水平振動台２と、９０度回転することにより垂直振動台、及び水平振動台２に夫々連結可能な振動発生機３とにより概略構成されており、水平振動台２、及び振動発生機３は、フレーム一体型ベッド６内に設置されている。
【００１６】
振動発生機３の垂直使用時、供試体は、振動発生機３の上部に設けられる振動板４に連結される図示しない垂直振動台上に載置され、振動発生機３の水平使用時、供試体は、振動発生機３に連結治具５を介して連結される水平振動台２上に載置される。
【００１７】
振動発生機３は、垂直振動台、及び水平振動台２を介して、供試体に振動を与える振動板４と、この振動板４を振動させる加振力を発生させる図示しない動電式の振動発生機構部とを備えており、振動発生機３は、例えば、図１、及び図２に示すように、図面右方へ９０度回転可能である。
尚、振動発生機後部の構成、及び機能は従来と概略同様であるため、説明を省略する。
【００１８】
振動発生機３は、水冷式を採用した振動発生機であり、振動発生機３には、図４に示すように、駆動ケーブル７１、励磁ケーブル７２の他、排水用、及び給水用の冷却水ホース７３を含むケーブル７が夫々接続されており、ケーブル７は例えば、振動発生機３の図１、及び図２における図面左方一箇所にまとめられ、振動発生機３の外方へ引き出されている。
【００１９】
従って、振動発生機３の垂直使用時においては、ケーブル７は、例えば図１に示すように、振動発生機３の図面左方下部に位置し、又、振動発生機３の水平使用時においては、ケーブル７は、例えば図２に示すように、振動発生機３の回転に伴ない、振動発生機３の図面左方上部に位置することとなる。
【００２０】
振動発生機３には、ケーブル７が引き出される位置に対応して、ケーブル支持具８が取り付けられている。
図４〜図６に示すように、ケーブル支持具８は、振動発生機３の下部中央に下方４５度へ向かって取り付けられる２枚の側板８１と、側板８１間を架け渡され、互いに略平行な３本の長棒８２ａと、８２ｂと、８２ｃと、長棒８２と直交する方向で長棒８２ａ、及び８２ｂ間を架け渡される複数の短棒８３と、長棒８２、及び短棒８３上にケーブル７を支持、及び固定する布製のベルト８４とを備え、ベルト８４には、緊緩調整可能な留め具８５が取り付けられている。
【００２１】
ケーブル７は、長棒８２上において、長棒８２と直交する方向、即ち短棒８３と同一の方向で一つ一つが側板８１と短棒８３、或いは隣接する短棒８３間に、整列した状態で配置される。この時、ケーブル７は、図６の断面視において、短棒８３と上下方向に重ならないよう、且つ短棒８３とケーブル７とが交互となるように配置される。
【００２２】
そして、隣接するケーブル７と短棒８３の外周の一部を、ベルト８４によって交互に巻いた後、ケーブル７が配置される側と長棒８２を挟む反対側において、留め具８５により緊緩を調整してケーブル７を固定する。これにより、ケーブル７を適度な力で拘束して整列状態を維持する。
【００２３】
従って、ケーブル７は、ケーブル支持具８によって緩やかに支持、及び固定されているので、振動発生機３を垂直使用から水平使用、或いは水平使用から垂直使用へ切り替えるために振動発生機３を９０度回転させた場合、振動発生機３の回転に伴なってケーブル７の配列状態が乱れたり、冷却水ホース７ｃを含むケーブル７が過剰な力で締め付けられ、水漏れを起こすといったトラブルを誘発する恐れが少ない。
【００２４】
以上のように、本実施の形態の振動試験機１、及びケーブル支持具８によれば、ケーブル７を整列させたままの状態で、振動発生機３を回転させることができるので、ケーブル７を傷つけることなく、振動試験機１を使用することができる。
【００２５】
尚、本発明は上述した実施例に限定されるものではなく、発明の趣旨を逸脱しない範囲で任意に変形可能である。
例えば、長棒８２や短棒８３の数は支持、及び固定するケーブル７の本数や重量によって調整すればよい。
又、本発明のケーブル支持具は、振動試験機以外でも、機械の動作に伴ってケーブルが頻繁に移動するものに対しても適用できる。
【００２６】
【発明の効果】
請求項１記載の発明によれば、ケーブルは、隣接する２つの短棒の間の長棒上に配置され、ベルトによって、ケーブルと短棒の外周の少なくとも一部が交互に巻かれて、長棒、及び短棒上に支持、及び固定されるので、ケーブルを整列した状態で維持することができる。
【００２７】
また、ベルトの端部に留め具を備えているので、留め具によりベルトの緊緩を調整したうえで、ケーブルを固定することができる。この時、ベルトの伸びによって、適度な力でケーブルを拘束するので、ケーブルを過拘束せずに固定することが可能となり、ケーブルを過剰な力で締め付け、痛めてしまう恐れがない。
【００２８】
さらに、ケーブル支持具は、振動発生機に側板によって取り付けられ、振動発生機に付帯するケーブル、及び冷却水ホースを支持、及び固定するので、ケーブル、及び冷却水ホースを傷つけることなく、整列させたままの状態で振動試験機を使用することができる。
【図面の簡単な説明】
【図１】垂直使用時の振動試験機の側面図である。
【図２】水平使用時の振動試験機の側面図である。
【図３】振動試験機の平面図である。
【図４】図１〜図３に示すケーブル支持具の詳細を表す図である。
【図５】ケーブル支持具の側面図である。
【図６】図４のＡ−Ａ部における断面図である。
【符号の説明】
１    振動試験機
３    振動発生機
７    ケーブル
７１  駆動ケーブル
７２  励磁ケーブル
７３  冷却水ホース
８    ケーブル支持具
８１  側板
８２  長棒
８３  短棒
８４  ベルト
８５  留め具
【図１】
0004171594.tif 000002
【図２】
0004171594.tif 000003
【図３】
0004171594.tif 000004
【図４】
0004171594.tif 000005
【図５】
0004171594.tif 000006
【図６】
0004171594.tif 000007